(57)【特許請求の範囲】
【請求項１】
一つの建造物本体を有し、前記建造物本体は、居住者が居住する居住空間部と前記居住者が使用する車両を駐車可能な住宅部用駐車場部とを具備する住宅部が複数配置された階を複数階備えている建造物であって、
前記住宅部は、前記居住空間部内において２階以上の居住階を含むものであり、少なくともいずれか一つの居住階には、当該住宅部内と当該住宅部の外との間で前記居住者の出入りを可能とする人用玄関部が形成されており、一方、前記人用玄関部とは異なる居住階には、当該住宅部内において前記居住空間部と行き来自在な住宅部用駐車場部が設けられており、かつ当該住宅部用駐車場部内と当該住宅部の外との間で前記車両の出入りを可能とする駐車場出入口部が形成されており、
さらに前記建造物本体は、
当該建造物本体の複数階にわたって車両通行可能に形成され、当該建造物本体外と各駐車場出入口部とを繋ぐ住宅部側車両専用道路部と、
前記建造物本体の複数階にわたって居住者が歩行可能に形成され、当該建造物本体外と各人用玄関部とを繋ぐ住宅部側歩行者専用道路部と、
を備え、
前記建造物本体内における一の階において、前記住宅部側車両専用道路部の高さ位置と前記住宅部側歩行者専用道路部の高さ位置とが異なり、かつ前記高さ位置が異なる箇所で当該住宅部側車両専用道路部と当該住宅部側歩行者専用道路部とが同一空間内に臨んでなる
ことを特徴とする建造物。
【請求項２】
一つの建造物本体を有し、前記建造物本体は、居住者が居住する複数の住宅部と、非居住領域である商業施設とが配置された階を複数階備えている複合建造物であって、
前記商業施設が配置される商業施設部と、
複数階にわたって形成された、商業施設利用者が使用する車両を駐車可能な商業施設部用駐車場と、
前記建造物本体の複数階にわたって車両通行可能に形成され、当該建造物本体外と前記商業施設部用駐車場とを繋ぐ商業施設部側道路部と、
各住宅部において形成された、各住宅部に居住する居住者が使用する車両を駐車可能な住宅部用駐車場部と、
前記建造物本体の複数階にわたって車両通行可能に形成され、当該建造物本体外と前記住宅部用駐車場部とを繋ぐ住宅部側車両専用道路部と、
前記建造物本体の複数階にわたって居住者が歩行可能に形成され、当該建造物本体外と各住宅部に設けられた人用玄関部とを繋ぐ住宅部側歩行者専用道路部と、
を備え、
前記建造物本体内において、前記商業施設部側道路部と前記住宅部側車両専用道路部とが接続されていないことで互いに車両の往来が不可とされてなる
ことを特徴とする複合建造物。
【請求項３】
一つの建造物本体を有し、前記建造物本体は、居住者が居住する居住空間部と前記居住者が使用する車両を駐車可能な住宅部用駐車場部とを具備する複数の住宅部と、非居住領域である商業施設とが配置された階を複数階備えている複合建造物であって、
前記商業施設が配置される商業施設部と、
複数階にわたって形成された、商業施設利用者が使用する車両を駐車可能な商業施設部用駐車場と、
前記建造物本体の複数階にわたって車両通行可能に形成され、当該建造物本体外と前記商業施設部用駐車場とを繋ぐ商業施設部側道路部と、
を備え、
前記住宅部は、前記居住空間部内において２階以上の居住階を含むものであり、少なくともいずれか一つの居住階には、当該住宅部内と当該住宅部の外との間で前記居住者の出入りを可能とする人用玄関部が形成されており、一方、前記人用玄関部とは異なる居住階には、当該住宅部内において前記居住空間部と行き来自在な住宅部用駐車場部が設けられており、かつ当該住宅部用駐車場部内と当該住宅部の外との間で前記車両の出入りを可能とする駐車場出入口部が形成されており、
さらに前記建造物本体は、
当該建造物本体の複数階にわたって車両通行可能に形成され、当該建造物本体外と各駐車場出入口部とを繋ぐ住宅部側車両専用道路部と、
前記建造物本体の複数階にわたって居住者が歩行可能に形成され、当該建造物本体外と各人用玄関部とを繋ぐ住宅部側歩行者専用道路部と、
を備え、
前記建造物本体内における一の階において、前記住宅部側車両専用道路部の高さ位置と前記住宅部側歩行者専用道路部の高さ位置とが異なり、かつ前記高さ位置が異なる箇所で当該住宅部側車両専用道路部と当該住宅部側歩行者専用道路部とが同一空間内に臨んでなり、
前記建造物本体内において、前記商業施設部側道路部と前記住宅部側車両専用道路部とが接続されていないことで互いに車両の往来が不可とされてなる
ことを特徴とする複合建造物。
【発明の詳細な説明】
【技術分野】
【０００１】
本発明は、例えば集合住宅において車両を住宅部内に駐車することのできる建造物、及び住宅部に加えて商業施設部が併設された複合建造物に関する。
【背景技術】
【０００２】
従来からの一般的な集合住宅においては、車両を駐車しておく駐車場は建造物の外に隣接して配置されたり、建造物の下層に集中して配置されたりしていた。
【０００３】
また、例えば特許文献１や特許文献２に開示されているように、車両をエレベータによって居住区域に隣接した駐車施設まで運搬するものも知られている。
【先行技術文献】
【特許文献】
【０００４】
【特許文献１】特開２００１−２６２８５５号公報
【特許文献２】実用新案登録第３２２１１５８号公報
【発明の概要】
【発明が解決しようとする課題】
【０００５】
しかしながら、エレベータを用いて車両を運搬するものにあっては、１車両ずつ各戸まで運搬しなければならないため、例えば出勤の時間帯に混雑が生じて利便性に劣る問題がある。また、このような従来構成では、車両用のエレベータのメンテナンス作業が煩雑となり、管理に対する負担が極めて大きくなるという問題がある。
【０００６】
本発明は、簡素な構造であり、安全で利便性に優れた建造物を提供することを目的とする。
【０００７】
また本発明は、簡素な構造であり、安全で利便性に優れた複合建造物を提供することを目的とする。
【課題を解決するための手段】
【０００８】
本発明（第一の発明）は、一つの建造物本体を有し、前記建造物本体は、居住者が居住する居住空間部と前記居住者が使用する車両を駐車可能な住宅部用駐車場部とを具備する住宅部が複数配置された階を複数階備えている建造物であって、前記住宅部は、前記居住空間部内において２階以上の居住階を含むものであり、少なくともいずれか一つの居住階には、当該住宅部内と当該住宅部の外との間で前記居住者の出入りを可能とする人用玄関部が形成されており、一方、前記人用玄関部とは異なる居住階には、当該住宅部内において前記居住空間部と行き来自在な住宅部用駐車場部が設けられており、かつ当該住宅部用駐車場部内と当該住宅部の外との間で前記車両の出入りを可能とする駐車場出入口部が形成されており、さらに前記建造物本体は、当該建造物本体の複数階にわたって車両通行可能に形成され、当該建造物本体外と各駐車場出入口部とを繋ぐ住宅部側車両専用道路部と、前記建造物本体の複数階にわたって居住者が歩行可能に形成され、当該建造物本体外と各人用玄関部とを繋ぐ住宅部側歩行者専用道路部と、を備え、前記建造物本体内における一の階において、前記住宅部側車両専用道路部の高さ位置と前記住宅部側歩行者専用道路部の高さ位置とが異なり、かつ前記高さ位置が異なる箇所で当該住宅部側車両専用道路部と当該住宅部側歩行者専用道路部とが同一空間内に臨んでなることを特徴とする建造物である。
【０００９】
かかる構成にあっては、各住宅部内に住宅部用駐車場が形成されているため、各住宅部における居住者は、住宅部の外に出ることなく、自分が所有する車両に乗って外出が可能となる。また、外出帰りの際も同様に、居住空間の近くまで車両に乗って帰宅することができる。ここで、一つの建造物本体において、車両専用の住宅部側車両専用道路部と、居住者専用の住宅部側歩行者専用道路部とが互いに分離して配置されているため、事故の危険性が極めて低く安全性が高い。特に住宅部側車両専用道路部と住宅部側歩行者専用道路部との高さが異なるため、単に柵で仕切られて同一高さで住宅部側車両専用道路部と住宅部側歩行者専用道路部とが隣接した構成に比して、大幅に安全性が高い。一方、安全性を高めるために、住宅部側車両専用道路部と住宅部側歩行者専用道路部とを個別のトンネル構造として互いを完全に遮断する構成が提案されるものの、かかる構成は閉塞感が強く、一般的な戸建てで見られる開放感が得られにくい。しかし本発明は、両道路部の高さ位置を異ならせつつ、両道路部が同一空間内に臨む構成であるため、歩行者にとっても車両を利用する者にとっても閉塞感がなく、例えば自宅に帰宅する際に人用玄関部の様子も駐車場出入口部の様子も感じ取ることができ、安心感や住居の所有欲を得ることもできる。また、例えば緊急車両としての消防車が住宅部側車両専用道路部を使って住宅部の消火にあたるときにも、適切に人用玄関部のある居住階に対して放水が可能である。
【００１０】
また本発明（第二の発明）は、一つの建造物本体を有し、前記建造物本体は、居住者が居住する複数の住宅部と、非居住領域である商業施設とが配置された階を複数階備えている複合建造物であって、前記商業施設が配置される商業施設部と、複数階にわたって形成された、商業施設利用者が使用する車両を駐車可能な商業施設部用駐車場と、前記建造物本体の複数階にわたって車両通行可能に形成され、当該建造物本体外と前記商業施設部用駐車場とを繋ぐ商業施設部側道路部と、各住宅部において形成された、各住宅部に居住する居住者が使用する車両を駐車可能な住宅部用駐車場部と、前記建造物本体の複数階にわたって車両通行可能に形成され、当該建造物本体外と前記住宅部用駐車場部とを繋ぐ住宅部側車両専用道路部と、前記建造物本体の複数階にわたって居住者が歩行可能に形成され、当該建造物本体外と各住宅部に設けられた人用玄関部とを繋ぐ住宅部側歩行者専用道路部と、を備え、前記建造物本体内において、前記商業施設部側道路部と前記住宅部側車両専用道路部とが接続されていないことで互いに車両の往来が不可とされてなることを特徴とする複合建造物である。
【００１１】
かかる構成にあっては、商業施設部側道路部と住宅部側車両専用道路部とが接続されていないため、不特定多数の商業施設利用者が、住宅部における住宅部側車両専用道路部を通行することがないため、住宅部における治安の維持に適している。また、例えば商業施設が混雑した状況で、居住者の車両の円滑な通行が妨げられてしまうことも防止できる。
【００１２】
さらに本発明（第三の発明）は、一つの建造物本体を有し、前記建造物本体は、居住者が居住する居住空間部と前記居住者が使用する車両を駐車可能な住宅部用駐車場部とを具備する複数の住宅部と、非居住領域である商業施設とが配置された階を複数階備えている複合建造物であって、前記商業施設が配置される商業施設部と、複数階にわたって形成された、商業施設利用者が使用する車両を駐車可能な商業施設部用駐車場と、前記建造物本体の複数階にわたって車両通行可能に形成され、当該建造物本体外と前記商業施設部用駐車場とを繋ぐ商業施設部側道路部と、を備え、前記住宅部は、前記居住空間部内において２階以上の居住階を含むものであり、少なくともいずれか一つの居住階には、当該住宅部内と当該住宅部の外との間で前記居住者の出入りを可能とする人用玄関部が形成されており、一方、前記人用玄関部とは異なる居住階には、当該住宅部内において前記居住空間部と行き来自在な住宅部用駐車場部が設けられており、かつ当該住宅部用駐車場部内と当該住宅部の外との間で前記車両の出入りを可能とする駐車場出入口部が形成されており、さらに前記建造物本体は、当該建造物本体の複数階にわたって車両通行可能に形成され、当該建造物本体外と各駐車場出入口部とを繋ぐ住宅部側車両専用道路部と、前記建造物本体の複数階にわたって居住者が歩行可能に形成され、当該建造物本体外と各人用玄関部とを繋ぐ住宅部側歩行者専用道路部と、を備え、前記建造物本体内における一の階において、前記住宅部側車両専用道路部の高さ位置と前記住宅部側歩行者専用道路部の高さ位置とが異なり、かつ前記高さ位置が異なる箇所で当該住宅部側車両専用道路部と当該住宅部側歩行者専用道路部とが同一空間内に臨んでなり、前記建造物本体内において、前記商業施設部側道路部と前記住宅部側車両専用道路部とが接続されていないことで互いに車両の往来が不可とされてなることを特徴とする複合建造物である。
【００１３】
かかる構成にあっては、第一の発明と同様に、居住者は住宅部の外に出ることなく、自分が所有する車両に乗って外出が可能となり、居住空間の近くまで車両に乗って帰宅することができる。また、住宅部側車両専用道路部と住宅部側歩行者専用道路部との高さが異なるため、大幅に安全性が高い。また、両道路部が同一空間内に臨む構成であるため、住宅部の外において閉塞感がなく、安心感や住居の所有欲を得ることもできる。また、緊急車両が通行する場合でも、適切な対応が行いやすい利点がある。
【発明の効果】
【００１４】
本発明は、簡素な構造であり、安全で利便性に優れた効果がある。
【図面の簡単な説明】
【００１５】
【図１】実施例１にかかる建造物であって部分的に壁部や床部を省略して示す模式図である。
【図２】実施例１にかかる建造物の部分拡大縦断面図である。
【図３】実施例１にかかる建造物の部分拡大横断面図である。
【図４】実施例２にかかる複合建造物の部分拡大縦断面図である。
【図５】実施例２にかかる複合建造物の部分拡大横断面図である。
【発明を実施するための形態】
【００１６】
以下、本発明にかかる建造物、及び複合建造物を具体化した実施例を詳細に説明する。なお、本発明は、下記に示す実施例に限定されることはなく、適宜設計変更が可能である。
【００１７】
〔実施例１〕
建造物１は、図１〜図３に示すように、一つの建造物本体１０を備え、建造物本体１０は複数階を備えた構成となっている。そして、一つの階には、居住者Ｈが居住する住宅部２０が複数隣接して並置されている。なお、各住宅部２０は、例えば分譲や賃貸であっても良く、一つの建造物本体１０内において、それぞれ分離した別の住居となっている。
【００１８】
次に、住宅部２０の内部構造について説明する。
図１等に示すように、住宅部２０は、建造物本体１０における一つの階において複数の居住階を有している。すなわち、住宅部２０は２階建てとなっており、当該住宅部２０内の居住空間には１階と２階があって１階と２階とを繋ぐ階段によって移動が可能となっている。
【００１９】
そして、居住階としての２階には、人用玄関部２１が設けられている。この人用玄関部２１は、居住者が当該住宅部２０の外との間で出入り可能とするものである。一方、居住階としての１階には、勝手口部２２が設けられており、この勝手口部２２を介して住宅部用駐車場部３０が配置されている。この住宅部用駐車場部３０については後で詳述する。
【００２０】
さらに、住宅部２０における１階部分には、外界に面する１階ベランダ部２５が、建造物本体１０から外向きに突き出すように配置されているとともに、当該住宅部２０における２階部分には、同様に、２階ベランダ部２６が配置されている。
【００２１】
次に、住宅部用駐車場部３０について説明する。
本発明においては、各住宅部２０に住宅部用駐車場部３０が個別に設けられており、各住宅部用駐車場部３０には、各住宅部２０に居住する居住者が使用する車両Ｃを駐車することができる。そして、各住宅部用駐車場部３０には、車両Ｃの出入口となる駐車場出入口部３２が形成されている。なお、この駐車場出入口部３２は、例えばシャッターが備えられて住宅部２０の外と仕切られており、いわばインナーガレージ構造となった構成となっている。
【００２２】
これまでに述べた住宅部２０においては、２階以上の階を有することとなり、しかも各住宅部２０が隣家と分離した構成であるため、大型マンションが持つ安心・安全な利便性を備えつつ、建造物本体１０内においてあたかも一戸建てに居住しているかのようなスマートタウンとしての雰囲気も味わうことができる。
【００２３】
次に、建造物本体１０内の共用部について説明する。
建造物本体１０内の共用部には、各住宅部２０の人用玄関部２１に繋がる住宅部側歩行者専用道路部５０が設けられている。すなわち、この住宅部側歩行者専用道路部５０は、住宅部２０における２階の高さ位置に形成された居住者Ｈが通行可能な道路となっており、建造物本体１０における複数階にわたって形成されている。すなわち、住宅部側歩行者専用道路部５０は、建造物本体１０内と外界とを繋ぐとともに、図示しないエレベータ等の昇降部も配置されることで、別の階に容易に移動が可能となっている。
【００２４】
さらに、建造物本体１０内の共用部には、住宅部側車両専用道路部４０が車両通行可能に形成されている。この住宅部側車両専用道路部４０は、一つの階において複数の住宅部２０に沿って形成されており、各住宅部２０における１階の住宅部用駐車場部３０に連続している。さらに、この住宅部側車両専用道路部４０が、建造物本体１０における複数階にわたって形成されている。すなわち、この住宅部側車両専用道路部４０は、スロープ等の車両用連絡部４５が配置されることで、建造物本体１０における上下階で往来可能であるとともに、当該建造物本体１０の外部とも往来可能である。
【００２５】
すなわち、車両で外出した居住者Ｈは、帰宅時において車両Ｃに乗ったまま建造物本体１０内に進入し、住宅部側車両専用道路部４０を使って自分の住宅部２０まで到達することができ、そこから住宅部２０内の住宅部用駐車場部３０に駐車することができる。当然、外出する際においても、住宅部側車両専用道路部４０を使って容易に外出することができる。なお、住宅部側車両専用道路部４０は、消防車や救急車のような緊急車両も通行可能であり、引っ越し業者や配達業者の車両も通行可能である。
【００２６】
ここで、一つの階において、住宅部側車両専用道路部４０は一方通行形式によって形成されているため、車両Ｃ同士が建造物本体１０内で相対して渋滞を引き起こすことが防止されているとともに、居住スペースを広く確保できるようなレイアウトとなっている。
【００２７】
また、住宅部側車両専用道路部４０は車両のみが通行可能であり、歩行者は通行不可とされている。したがって、居住者Ｈが徒歩で外出する際には、住宅部側歩行者専用道路部５０を用いて通行することとなる。
【００２８】
また、住宅部側歩行者専用道路部５０は、住宅部２０の２階部分に対応した高さに配置されているため、１階部分に対応した高さに配置された住宅部側車両専用道路部４０とは高さ位置が異なっている。したがって、建造物本体１０内において歩行者と車両との動線が交わることがなく、建造物本体１０内において歩行者と車両との接触事故等を効果的に防ぐことができる。一方、住宅部側車両専用道路部４０と住宅部側歩行者専用道路部５０は、同じ階において同じ空間に臨んでおり、互いに完全に仕切られた構成とはなっていない。このため、住宅部側車両専用道路部４０と住宅部側歩行者専用道路部５０との間でコミュニケーションをとることも可能であり、開放感や安心感も兼ね備えた環境が実現されている。
【００２９】
これまでに述べた構成には、以下の点が付加されていてもよい。
【００３０】
居住者Ｈは無線キーを所持しており、車両Ｃが外部から住宅部側車両専用道路部４０に進入するときに、当該無線キーによって建造物１の出入口ゲートのロックを解除する構成としてもよい。これにより、建造物１内の防犯機能を向上させることができる。なお、ゲートのロックを解除する手段としては、無線キー以外にも、例えば車両のナンバーによる認証を用いた構成も適用可能である。一方、居住者Ｈに該当しない配達車両等は、出入り口を別に設け、警備員等の検査を経て住宅部側車両専用道路部４０に入場可能とする構成が例示される。
【００３１】
また、外部から住宅部側車両専用道路部４０に進入する経路上に車両の足回りを洗浄する自動洗浄システムが配置されている構成が提案される。これにより住宅部側車両専用道路部４０の汚染を防止し、住宅部側車両専用道路部４０から住宅部２０の内部に侵入するゴミ等を減少させることができる。
【００３２】
さらに、建造物本体１０内に進入・駐車可能な車両を電気自動車（ＥＶ車両）のみとすることで、建造物本体１０内の空気環境を快適に維持することができる。
【００３３】
これに伴い、各住宅部用駐車場部３０には、ＥＶ車両用の充電器３１が配置されている構成が提案される。本実施例においては、各住宅部用駐車場部３０に２台の車両Ｃが駐車可能であるため、この場合２台分の充電器３１が配置されていることが望ましい。
【００３４】
また、建造物１において停電が発生した場合には、各住宅部用駐車場部３０に駐車されている車両Ｃから住宅部２０に向けて電力の供給ができるように、そのような制御回路を備えた緊急用電力供給手段が設けられている構成が提案される。
【００３５】
住宅部用駐車場部３０、住宅部側車両専用道路部４０、及び住宅部側歩行者専用道路部５０等は、建造物本体１０の奥方に配された場合には太陽光が届きにくい環境になるところ、光ファイバーを用いたり、内部に鏡が配置された導光ダクトを用いたりして外部の光によってこれらのスペースを照らす太陽光採光システム６０が導入されることが提案される。また、建造物本体１０の外部の明るさとリンクした疑似太陽光ＬＥＤを用いて、特に歩行者が外部と類似した環境で住宅部側歩行者専用道路部５０を通行することのできる構成が提案される。
【００３６】
住宅部２０は、基礎構造を建造物本体１０と一体化したものでもよいし、建造物本体１０とは別体として構築されたものであってもよい。また、各住宅部２０を同じ構成で形成してもよいし、例えば建造物本体１０の所定の階の住宅部２０は２階建てとし、別の階は３階建てとする、といった異なる構成で形成することも可能である。当然ながら、全ての住宅部２０を異なる構成で構築することもできる。
【００３７】
さらに、建造物本体１０と各住宅部２０との間に免震構造システムを導入し、建造物本体１０の免振構造システムと併せて免振機能をさらに向上させる構成も提案される。
【００３８】
〔実施例２〕
以下に実施例２の複合建造物２について詳述する。なお、上記実施例１と同様の構成を有するものは同じ符号を付し、説明を省略する。
【００３９】
複合建造物２は、図４、図５に示すように、建造物本体７０の所定の階に商業施設部８０が形成されており、商業施設等が商業施設部８０内に配置されている。
【００４０】
また、建造物本体７０の商業施設部８０が形成された階とは異なる階（実施例においては上の階）であって住宅部２０、住宅部用駐車場部３０、住宅部側車両専用道路部４０、及び住宅部側歩行者専用道路部５０とは別の区画に、商業施設部用駐車場９０が複数階にわたって形成されている。
【００４１】
さらに建造物本体７０内には、商業施設部用駐車場９０に隣接するように商業施設部側道路部１００が建造物本体７０において複数階にわたって形成されている。そして、商業施設部側道路部１００は建造物本体７０内と建造物本体７０外とを繋ぎ、さらにスロープ等の商業施設部側車両用連絡部１０５が配置されて建造物本体７０における上下階の商業施設部側道路部１００と連通している。
【００４２】
ここで、商業施設部側道路部１００は一方通行形式によって形成されている。したがって、車両Ｃ同士が建造物本体７０内で相対して渋滞を引き起こすことが防止されている。また、無駄のないレイアウトが実現されている。
【００４３】
また、建造物本体７０内において、商業施設部側道路部１００と住宅部側車両専用道路部４０とは接続されておらず、互いに往来ができない状態となっている。さらに、住宅部２０側の車両用連絡部４５と商業施設部側車両用連絡部１０５とが個別に配置されている。これにより、居住者Ｈの車両Ｃが商業施設部８０の混雑に巻き込まれてしまうことを防止することができる。
【００４４】
これまでに述べた構成には、以下の点が付加されていてもよい。
【００４５】
建造物本体７０内において、住宅部２０が配置されている階と、商業施設部用駐車場９０や商業施設部側道路部１００が配置されている階とは、異なる階であっても構わない。
【００４６】
外部から商業施設部側道路部１００に進入する経路上に車両の足回りを洗浄する自動洗浄システムが配置されている構成が提案される。これにより商業施設側道路部１００の汚染を防止し、建造物本体７０の内部に侵入するゴミ等を減少させることができる。
【００４７】
また、建造物本体７０内に進入・駐車可能な車両を電気自動車（ＥＶ車両）のみとすることで、建造物本体７０内の空気環境を快適に維持することができる。
【００４８】
商業施設部用駐車場９０には、ＥＶ車両用の充電器が配置されている構成が提案される。
【００４９】
停電が発生した場合には、商業施設部用駐車場９０に駐車されている車両Ｃから電力の供給を受けることができるよう、緊急用電力供給手段が設けられている構成が提案される。
【００５０】
建造物本体７０内において、商業施設部側道路部１００と住宅部側車両専用道路部４０とは接続されておらず、互いに往来不可とされているが、住宅部側歩行者専用道路部５０と商業施設部８０とは徒歩にて互いに往来可能とされている構成が提案される。また、商業施設部８０から住宅部側歩行者専用道路部５０に進入する際にはカードキーや指紋認証、あるいは顔認証等によって居住者のみが進入可能となる構成であることが望ましい。
【００５１】
商業施設側道路部１００にも上記実施例１と同様に、光ファイバーを用いたり内部に鏡が配置された導光ダクトを用いたりして外部の光によって商業施設側道路部１００等を照らす太陽光採光システムが導入されることが提案される。また、建造物本体７０の外部の明るさとリンクした疑似太陽光ＬＥＤを用いて、商業施設部８０内を通行することのできる構成が提案される。
【００５２】
住宅部２０が複数の居住階で構成されている場合、複合建造物２の各階の高さが十分にあるため、１階ごとに２個以上の段差を設けたりさらに階層を増やしたりして互いにスロープ等で往来可能とし、それぞれの段差や階層にさらに商業施設部用駐車場９０や商業施設側道路部１００を設けて駐車スペースを確保する構成であってもよい。
【００５３】
上記実施例において、各部の寸法形状は適宜自由に選択可能である。
【符号の説明】
【００５４】
１            建造物
２            複合建造物
１０，７０    建造物本体
２０          住宅部
２１          玄関部
２２          勝手口部
２５          １階ベランダ部
２６          ２階ベランダ部
３０          住宅部用駐車場
３１          充電器
４０          住宅部側車両専用道路部
４５          車両用連絡部
５０          住宅部側歩行者専用道路部
５５          歩行者用連絡部
６０          太陽光採光システム
８０          商業施設部
９０          商業施設部用駐車場
１００        商業施設側道路部
１０５        商業施設部側車両用連絡部
Ｃ            車両
Ｈ            居住者
【要約】
【課題】集合住宅において、効率的に車両を居住部に隣接して駐車することのできる建造物を提供することを目的とする。
【解決手段】建造物１は、建造物本体１０における一つの階に形成され、居住者Ｈが居住する２階以上の居住階を備え、居住者Ｈが出入りする人用玄関部２１と、人用玄関部２１とは異なる居住階に配置された勝手口部２２と、を具備する複数の住宅部２０と、各住宅部２０の勝手口部２２と夫々連通し、各住宅部２０に居住する居住者Ｈが使用する車両Ｃを駐車可能な各住宅部２０に隣接して配置された住宅部用駐車場部３０と、建造物本体１０の外部と住宅部用駐車場部３０とを繋ぐ、車両Ｃで通行可能な住宅部側車両専用道路部４０と、建造物本体１０の外部と人用玄関部２１とを繋ぐ、居住者Ｈが歩行にて通行可能な住宅部側歩行者専用道路部５０と、を備える。
【選択図】図１【図１】
0006951010.tif 000002
【図２】
0006951010.tif 000003
【図３】
0006951010.tif 000004
【図４】
0006951010.tif 000005
【図５】
0006951010.tif 000006